(57)【要約】【課題】昇降装置において、コンパクト化を損なうことなくガイド手段としてのガイドローラの外径を大きくできるように構成する。【解決手段】昇降体１６の各コーナー部に入り隅状部を形成し、該入り隅状部に、昇降路２のコーナー部を構成する直交状の内側面にそれぞれ対向するローラ取り付け部としての前側片１８ｂ、後側片１９ｂと、延出片１８ｆ、１９ｆとを形成し、これら各ローラ取り付け部に、対向する昇降路２の内側面に外周面が離接自在に当接するガイドローラ２１を、上下方向に位置ズレして交差状に設ける構成とする。【選択図】図６
2009007137.tif 000002
【特許請求の範囲】
【請求項１】
昇降体の各コーナー部に設けたガイドローラが昇降路にガイドされるよう構成した昇降装置において、昇降体の各コーナー部に入り隅状部を形成し、該入り隅状部に、昇降路のコーナー部を構成する直交状の内側面にそれぞれ対向する一対のローラ取り付け部を形成し、これら各ローラ取り付け部に取り付けられるガイドローラを、ガイドローラが取り付けられるローラ取り付け部に対向する昇降路の内側面に外周面が離接自在に当接するように設けて、各ローラ取り付け部に取り付けられるガイドローラ同士を、上下方向に位置ズレして交差状となるように構成した昇降装置におけるガイドローラ取り付け構造。
【請求項２】
ガイドローラを、Ｌ字形の取り付けプレートの一方の脚片の外側面に、該一方の脚片の延出方向に沿って転動するよう軸承したローラユニットに構成する一方、昇降体の各ローラ取り付け部に、ローラユニットの一方の脚片を嵌挿支持する支持片をそれぞれ形成する構成とした請求項１に記載の昇降装置におけるガイドローラの取り付け構造。
【請求項３】
ガイドローラは、取り付けプレートの他方の脚片を昇降体の上下方向の端部に突き当てて固定する構成とし、各ローラ取り付け部に設けられる各ローラユニットは、互いに一方の脚片の長さが異なり、他方脚片からガイドローラ軸承位置までの距離が異なるように構成されている請求項２に記載の昇降装置におけるガイドローラの取り付け構造。
【請求項４】
各ガイドローラが離接する昇降路の内側面は、平板状に形成されている請求項１乃至３の何れか１項に記載の昇降装置におけるガイドローラの取り付け構造。
【発明の詳細な説明】
【技術分野】
【０００１】
本発明は、二階建て、三階建て等、複数階が形成された住宅等に設けられる昇降装置におけるガイドローラおよびその取り付け方法の技術分野に属するものである。
【背景技術】
【０００２】
近年、一般住宅に家庭用エレベータ（昇降装置）を設け、高齢者や障害のある人が階下と階上との間を自由に行き来できるようにして、快適な生活環境を提供できるようにすることが提唱されている。このように、一般住宅にエレベータを設ける場合、専用のスペースを大きく確保することは難しく、コンパクト化することが必須要件となり、その実現のための一手段として、昇降路と昇降体との間の間隙を小さくすることが考えられる。この場合に、昇降体は開閉機の駆動に基づいて昇降路内を上下昇降することになるが、昇降体を、ガタつきがなく、しかも、円滑に昇降動させるためには、昇降路と昇降体との間にガイド手段を設けることが必要となる。
【０００３】
前記ガイド手段の一例として、昇降体各コーナー部の上下端部にガイドローラを設ける一方、昇降路に、前記各ガイドローラを移動案内するレール部上下方向に長く設ける構成とし、昇降体の左右方向における振れ止めと、前後方向における振れ止めがなされ、しかも、コンパクト化が図れるように構成したものが提唱されている。
【特許文献１】特開２００５−３１４０１４号公報
【発明の開示】
【発明が解決しようとする課題】
【０００４】
ところで、昇降体の昇降動を安定、かつ、円滑にするための手段として、ガイドローラの外径を大きくすることが考えられるが、前記従来のものにおいて、前記後部コーナー部に設けられるガイドローラは、平面視Ｌ字形の取り付けブラケットの一方の脚片から後方に向けて突出するローラ軸と、他方の脚片から左右方向外方に向けて突出するローラ軸とを設け、各ローラ軸の先端にそれぞれローラ部が軸承されて、各ローラ部の側面が昇降路の内側面に対向する構成となっている。このため、前記昇降体後部コーナー部のガイドローラの外径を大きくするには、ローラ軸の突出量を大きくしなければならず、このようにすると、昇降路と昇降体との間の間隙が大きくなってしまい、コンパクト化が損なわれるという問題がある。
また、このものでは、各ガイドローラのローラ部側面が昇降路の内側面に対向しているため、昇降体の前後方向の振れ止め、左右方向の振れ止めをするためには、昇降体の左右方向外方に突出するローラ軸に軸承されるガイドローラを、前後方向から当接するレール部によりガイドし、昇降体の前後方向外方に突出するローラ軸に軸承されるガイドローラを少なくとも左右方向一方から当接するレール部によりガイドする構成としている。このため、昇降路側には各ガイドレールに対応するレール部をそれぞれ位置合せ状に形成しなければならず昇降路の構造が複雑になるという問題がある。そのうえ、このものでは、既存の住宅にも設置できるよう、昇降路を上下方向複数に分割した分割体を組み込んで構成したものになっているので、各分割体のレール部同士の位置合わせが必要となり、高い寸法精度が要求されるという問題があるうえ、このような昇降路に昇降体を組み込む場合では、昇降路側のレール部と昇降体側のガイドローラとの位置合わせが難しく、作業性に劣るという問題もある。
さらに、従来のものでは、昇降体後部のコーナー部に設けられる各一対のガイドローラを、昇降体の内側から取り付ける構成となっているため、メンテナンス時にガイドローラの交換作業をする場合では、一人での作業が困難で作業性に劣るという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、昇降体の各コーナー部に設けたガイドローラが昇降路にガイドされるよう構成した昇降装置において、昇降体の各コーナー部に入り隅状部を形成し、該入り隅状部に、昇降路のコーナー部を構成する直交状の内側面にそれぞれ対向する一対のローラ取り付け部を形成し、これら各ローラ取り付け部に取り付けられるガイドローラを、ガイドローラが取り付けられるローラ取り付け部に対向する昇降路の内側面に外周面が離接自在に当接するように設けて、各ローラ取り付け部に取り付けられるガイドローラ同士を、上下方向に位置ズレして交差状となるように構成した昇降装置におけるガイドローラ取り付け構造である。
請求項２の発明は、ガイドローラを、Ｌ字形の取り付けプレートの一方の脚片の外側面に、該一方の脚片の延出方向に沿って転動するよう軸承したローラユニットに構成する一方、昇降体の各ローラ取り付け部に、ローラユニットの一方の脚片を嵌挿支持する支持片をそれぞれ形成する構成とした請求項１に記載の昇降装置におけるガイドローラの取り付け構造である。
請求項３の発明は、ガイドローラは、取り付けプレートの他方の脚片を昇降体の上下方向の端部に突き当てて固定する構成とし、各ローラ取り付け部に設けられる各ローラユニットは、互いに一方の脚片の長さが異なり、他方脚片からガイドローラ軸承位置までの距離が異なるように構成されている請求項２に記載の昇降装置におけるガイドローラの取り付け構造である。
請求項４の発明は、各ガイドローラが離接する昇降路の内側面は、平板状に形成されている請求項１乃至３の何れか１項に記載の昇降装置におけるガイドローラの取り付け構造である。
【発明の効果】
【０００６】
請求項１の発明とすることにより、昇降装置のコンパクト化を損なうことなく、昇降体が一層安定、かつ、円滑な状態で上下昇降する昇降装置を提供することができる。
請求項２の発明とすることにより、ガイドローラの取り付け作業が容易になって作業性が向上する。
請求項３の発明とすることにより、取り付け作業を一層容易に行なえるうえ、メンテナンス時における交換作業を容易にできて、作業性の向上を図れる。
請求項４の発明とすることにより、昇降体が安定、かつ、円滑に上下昇降するものでありながら、昇降路の構造を簡略化できる。
【発明を実施するための最良の形態】
【０００７】
つぎに、本発明の実施の形態について、図面に基づいて説明する。
図面において、１は二階建住宅室内の例えば玄関ホールに設けられた家庭用のエレベータであって、該エレベータ１は、最大乗員二名のコンパクト化された構成となっている。前記エレベータ１を構成する昇降路２は、一階床部から二階天井部に至る部位が連通する上下方向に長い矩形状に形成されており、下側から順に一階の空間（階下空間）に面する第一部位３、一階と二階の間の天井部空間に面する第二部位４、二階の空間（階上空間）に面する第三部位５のそれぞれに分割自在に構成されている。
【０００８】
一階の空間に面する第一部位３は、一階床面に対して平行となる下片部３ａと、該下片部３ａの左右縁部から上方に延出する左右一対の左右側片部３ｂ、３ｃを備えて構成されており、第一部位３の後片は住宅の壁面が利用されている。そして、左右側片部３ｂ、３ｃの前端縁部には一階外扉６Ｆが設けられるが、該一階外扉６Ｆは、右側縁部が右側片部３ｃの前端縁部に蝶番６ａを介して支持されており、左側縁部を戸先として前後方向に開閉揺動するように構成されている。
前記一対の左右側片部３ｂ、３ｃは、それぞれ化粧パネル等により構成されるパネル体７と、該パネル体７の前後端縁部に連結される前後一対の縦枠材８、９とを用いて形成されている。前記左右一対の各縦枠材（以降、前縦枠材、後縦枠材）８、９は、それぞれ上下方向を向く筒孔が形成された上下方向長尺の角筒状のアルミ型材により平面視Ｌ字形状に形成したものが左右対称状に用いられている。そして、左右の前縦枠材８の内側面はＲ状に形成されており、湾曲状のＲ状部８ａの後端縁部から後方に向けて延出する平板状の平面部位は前方における左、右ガイド面８ｂに構成され、Ｒ状部８ａの左右方向内側端縁部から互いに近接する方向に延出する平板状の平面部位は前方の左右における前ガイド面８ｃに構成され、これら左、右ガイド面８ｂと前ガイド面８ｃとが直交状となるように形成さている。そして、これらガイド面８ｂ、８ｃは、それぞれ後述するローラユニット２０のガイドローラ２１が離接自在に当接することにより、ガイドローラ２１をガイドするように構成されている。尚、前縦枠材８の内側に向けて突出する前方部位は、後述する昇降体１６側の内扉２５の構成部材を配設するための取り付け片８ｄに構成されている。
また、左右の後縦枠材９の内側面はＲ状に形成されており、湾曲状のＲ状部９ａの前端縁部から前方に向けて延出する平板状の平面部位は後方における左、右ガイド面９ｂに構成され、Ｒ状部９ａの左右方向内側端縁部から互いに近接する方向に延出する平板状の平面部位は後方の左右における後ガイド面９ｃに構成され、これら左、右ガイド面９ｂ、９ｃとが直交状となるように形成されている。そして、これらガイド面９ｂ、９ｃは、それぞれ後述するローラユニット２０のガイドローラ２１が離接自在に当接することにより、ガイドローラ２１をガイドするように構成されている。
【０００９】
一方、第二部位４は、第一部位左右側片部３ｂ、３ｃに連結される左右一対の左右側片部４ａ、４ｂと、左右側片部４ａ、４ｂの前端縁部を連結する前パネル体４ｃとを備えて構成されている。そして、第二部位左右側片部４ａ、４ｂは、それぞれパネル体１０と、該パネル体１０の前後端縁部に連結され、上下方向を向く筒孔が形成されたアルミ型材で構成された前後一対の縦枠材１１、１２とを備えて構成されているが、これらの構成は、前記第一部位左右側片部３ｂ、３ｃを構成するパネル体７および前後の縦枠材８、９に連続するよう同様の構成となっており、前後の縦枠材１１、１２は、それぞれＲ状部１１ａ、１２ａ、前方、後方における左、右ガイド面１１ｂ、１２ｂ、前方、後方の左右における前、後ガイド面１１ｃ、１２ｃ、さらには、取り付け片１１ｄを備えて構成されている。
【００１０】
二階の空間に面する第三部位５は、第二部位左右側片部４ａ、４ｂに連結される左右一対の左右側片部５ａ、５ｂを備えて構成されており、第一部位３の後片は住宅の壁面が利用されている。そして、左右側片部５ａ、５ｂの前端縁部には二階外扉６Ｓが設けられるが、該二階外扉６Ｓは、前記第一部位３に設けられる一階外扉６Ｆと同様の構成であって、右側縁部が蝶番６ａを介して右側片部５ｂに枢支され、左側縁部を戸先として前後方向に開閉揺動するように構成されている。
そして、前記一対の左右側片部５ａ、５ｂは、前記第一、第二部位３、４と同様にパネル体１３と、該パネル体１３の前後端縁部に連結され、上下方向を向く角筒状のアルミ型材で構成された前後一対の縦枠材１４、１５とを備えて構成されており、これらの構成は、前記第一、第二部位３、４の左右側片部３ｂ、３ｃ４ａ、４ｂを構成するパネル体７、１０および前後の縦枠材８、９、１１、１２に連続するよう同様の構成となっており、前後の縦枠材１４、１５は、それぞれＲ状部１４ａ、１５ａ、前方、後方における左、右ガイド面１４ｂ、１５ｂ、前方、後方の左右における前、後ガイド面１４ｃ、１５ｃ、さらには、取り付け片１４ｄを備えて構成されている。
【００１１】
一方、１６は昇降路２内を上下移動するボックス状に形成された昇降体（エレベータケージ）であって、該昇降体１６は上下片部１６ａ、１６ｂ、そして、左右側片部１６ｃ、１６ｄ、さらには、後側片部１６ｅにより囲繞される構成となっている。これら各片部１６ａ、１６ｂ、１６ｃ、１６ｄ、１６ｅは、それぞれ昇降路２を構成する前記第一、第二、第三部位３、４、５の内側面に近接対向する寸法に設定されている。
そして、前記左右側片部１６ｃ、１６ｄは、それぞれ化粧パネル等により構成されるパネル体１７と、該パネル体１７の前後端縁部に連結される前後一対の縦枠材であって、上下方向長尺の角筒状の型材１８、１９等を用いて形成されている。そして、前記左右一対の各型材（以降、前型材、後型材）１８、１９は、それぞれ上下方向を向く筒孔が形成されたアルミ型材により形成したものが左右対称状に用いられている。
尚、本実施の形態では、左右側片部１６ｃ、１６ｄを前後に分割された型材１８、１９を用い、間にパネル体１７を連結して形成しているが、前後方向に分割することなく一つの型材を用いて構成することも可能である
【００１２】
２０は本発明が実施されたローラユニットであって、該ローラユニット２０は、昇降体１６のコーナー部（四隅部）、即ち、前記各型材１８、１９の前後方向外端部における上下端部にそれぞれ設けられるものであり、各ローラユニット２０は、ガイドローラ２１と該ガイドローラ２１が軸承される取り付けプレート２２とにより構成されている。前記ガイドローラ２１は支軸２１ａにローラ部２１ｂを回転自在に軸承し、該支軸２１ａの両端部を、コ字形に形成されたローラブラケット２１ｃの一対の脚片２１ｄにそれぞれ固定されたものに構成されている。
前記取り付けプレート２２はＬ字形に形成されており、一方の脚片２２ａの外側面、即ち、他方の脚片２２ｂの延出方向とは反対方向の面に、ローラ部２１ａが軸承されたローラブラケット２１ｃの連結片２１ｅを一体的に固定することによりローラユニット２０が構成されている。これによって、ローラユニット２０は、ガイドローラ２１が一方の脚片２２ａから外方に向けて突出した状態で配設され、ローラ部２１ｂが取り付けプレート２２の一方の脚片２２ａの延出方向に沿って回転するように構成されている。
そして、ローラユニット２０は、ガイドローラ２１が取り付けられる取り付けプレート２２の各脚片２２ａ、２２ｂの延出方向の長さの調整、あるいは、ガイドローラ２１の一方脚片２２ａに対する取り付け位置（他方脚片２２ｂからガイドローラ２１取り付け位置までの距離）を適宜調整することにより、昇降体１６に対してガイドローラ２１を適宜位置に取り付けられるように構成されている。そして、本実施の形態では、一方脚片２２ａの延出長さが短く、他方脚片２２ｂから所定の距離を存した部位に第一ガイドローラ２１Ａが配設された第一ローラユニット２０Ａと、一方脚片２２ａの延出長さが長く、他方脚片２２ｂからの距離が第一ローラユニット２０の所定の距離よりも長い部位に第二ガイドローラ２１Ｂが配設された第二ローラユニット２０Ｂとが用いられている。
尚、２２ｃは他方の脚片２２ｂに開設された固定用貫通孔である。
【００１３】
これに対し、前記昇降体１６の左右側片部１６ｃ、１６ｄを構成する左右一対の前型材１８は、それぞれ矩形状の本体部１８ａを備えて構成されており、該本体部１８ａを構成する内側片１８ｄは、前側片１８ｂ形成部位を越えて前方に延出しており、該延出先端部に、凹溝状の延出片１８ｆが延出形成されている。前記延出片１８ｆは、本体部１８ａの前方で、かつ、左右方向内側に偏寄して設けられており、これによって、昇降体１６の前方のコーナー部に入り隅状の空間部（以後、入り隅状部）が形成されている。そして、入り隅状部に面する前側片１８ｂと延出片１８ｆとは直交状の位置関係となっており、本発明のローラ取り付け部に設定され、前側片１８ｂは昇降路２の前ガイド面８ｃ、１１ｃ、１４ｃに対向し、延出片１８ｆは昇降路２の前方左、右ガイド面８ｂ、１１ｂ、１４ｂに対向するように構成されている。そして、前側片１８ｂには、左右一対のＬ字形の突片を前方に向けて突出形成することにより、前側片１８ｂを溝底片とし前方が開口する蟻溝形状が形成され、該蟻溝形状部位が本発明の支持片に相当する前方第一支持片１８ｃに構成されている。また、凹溝状の延出片１８ｆには、溝側片１８ｇから互いに近接する方向に突出する左右一対の突片が形成され、これら突片が本発明の支持片に相当する前方第二支持片１８ｅに構成されている。
そして、これら前方第一、第二支持片１８ｃ、１８ｅは、上下方向端部に、ローラユニット２０の一方脚片２２ａをそれぞれ上下方向から嵌挿することで、一方脚片２２ａが前方第一、第二支持片１８ｃ、１８ｅに支持されて、ローラユニット２０をガタつきなく保持することができるように構成されている。
【００１４】
また、昇降体１６を構成する左右の後型材１９は、それぞれ矩形状の本体部１９ａを備えて構成されており、該本体部１９ａを構成する内側片１９ｄは、後側片１９ｂ形成部位を越えて後方に延出しており、該延出先端部に、凹溝状の延出片１９ｆが延出形成されている。前記延出片１９ｆは、本体部１９ａの後方で、かつ、左右方向内側に偏寄して設けられており、これによって、昇降体１６の後方のコーナー部に入り隅状の空間部（以後、入り隅状部）が形成されている。そして、入り隅状部に面する後側片１９ｂと延出片１９ｆとは直交状の位置関係となっており、本発明のローラ取り付け部に設定されており、後側片１９ｂは昇降路２の後ガイド面９ｃ、１２ｃ、１５ｃに対向し、延出片１９ｆは昇降路２の後方左、右ガイド面９ｂ、１２ｂ、１５ｂに対向するように設定されている。そして、後側片１９ｂには、左右一対のＬ字形の突片を前方に向けて突出形成することにより、後側片１９ｂを溝底片とし前方が開口する蟻溝形状が形成され、該蟻溝形状部位が本発明の支持片に相当する後方第一支持片１９ｃに構成されている。また、凹溝状の延出片１９ｆには、溝側片１９ｇから互いに近接する方向に突出する左右一対の突片が形成され、これら突片が本発明の支持片に相当する後方第二支持片１９ｅに構成されている。
そして、これら後方第一、第二支持片１９ｃ、１９ｅは、上下方向端部に、ローラユニット２０の一方脚片２２ａをそれぞれ上下方向から嵌挿することで、一方脚片２２ａが前方第一、第二支持片１９ｃ、１９ｅに支持されて、ローラユニット２０をガタつきなく保持することができるように構成されている。
【００１５】
つぎに、これら前方、後方の各第一、第二支持片１８ｃ、１８ｅ、１９ｃ、１９ｅの上下端部（都合八箇所）にガイドローラ２０を組み込む手順について説明する。
まず、図５（Ｂ）、図６に示す左側に位置する前型材１８の上端部における組み込み手順を説明する。
前方第二支持片１８ｅの上端に、一方脚片２２ａの長さが長い第二ローラユニット２０Ｂの一方脚片２２ａを対向させ、一方脚片２２ａの両側部を前方第二支持片１８ｅに挿し込み、該前方第二支持片１８ｅに沿って下動させて他方脚片２２ｂを前方第二支持片１８ｅの上端部に突き当てて、第二ローラユニット２０Ｂが前型材１８に支持される状態とする。このとき、他方脚片２２ｂは、昇降体上片部１６ａに設けた補強プレート２３に突き当てられ、該補強プレート２３に対して固定用貫通孔２２ｃを介して螺子２２ｄを上方から螺合することにより、第二ガイドローラ２１Ｂが左方（左右方向外方）に向けて突出した状態で固定されるが、第二ローラユニット２０Ｂは、前述したように、一方脚片２２ａが前方第二支持片１８ｅにガタつきなく保持状に支持されているため、他方脚片２２ｂを押さえる等の作業をすることなく螺合作業が行なえる。
続いて、前方第一支持片１８ｃの上端に、一方脚片２２ａの長さが短い第一ローラユニット２０Ａの一方脚片２２ａを対向させ、一方脚片２２ａの両側部を前方第一支持片１８ｃに挿し込み、該前方第一支持片１８ｃに沿って下動させ、他方脚片２２ｂを、前方第一支持片１８ｅの上端部に突き当てる。このとき、他方脚片２２ｂは、型材本体部１８ａの上部に介装された補強プレート１８ｈに突き当てられており、該補強プレート１８ｈに対して固定用貫通孔２２ｃを介して螺子２２ｄを螺合することで、第一ガイドローラ２１Ａが前方に向けて突出した状態で固定されるが、この場合でも、第一ローラユニット２０Ａは、一方脚片２２ａが前方第一支持片１８ｃにガタつきなく保持状に支持されているため、他方脚片２２ｂの螺合作業を容易に行なうことができる。
【００１６】
そしてこの場合に、第二、第一ガイドローラ２１Ｂ、２１Ａ同士は、前方第二、第一支持片１８ｅ、１８ｃと、これに対向する昇降路２の内側面である前ガイド面８ｃ、１１ｃ、１４ｃ、前方左、右ガイド面８ｂ、１１ｂ、１４ｂとの間に形成された入り隅状部を利用して交差状に配設され、これら各ガイド面８ｃ、１１ｃ、１４ｃ、８ｂ、１１ｂ、１４ｂに対して、第二、第一ガイドローラ２１Ｂ、２１Ａの外周面が離接する状態で取り付けられるが、第二、第一ローラユニット２０Ｂ、２０Ａとは、それぞれ一方脚片２２ａの長さが異なり、他方脚片２２ｂからの距離が異なる取り付け位置に第二、第一ガイドローラ２１Ｂ、２１Ａが設けられている。これによって、昇降体１６に組み込まれた状態では第二、第一ガイドローラ２１Ｂ、２１Ａ同士が上下方向に位置ズレした状態となり、第二、第一ガイドローラ２１Ｂ、２１Ａ同士が互いに干渉することはないように設定されている。このように第二、第一ガイドローラ２１Ｂ、２１Ａを交差状に配設する構成とすることにより、前方第二、第一支持片１８ｅ、１８ｃとこれに対向する前方昇降路２内側面（前ガイド面８ｃ、１１ｃ、１４ｃ、前方左、右ガイド面８ｂ、１１ｂ、１４ｂ）との間隔を、昇降路２と昇降体１６との間の距離にかかわらず設定することができ、第二、第一ガイドローラ２１Ａ、２１Ｂの外径を大きく設定することが可能となる。因みに、前方第二、第一支持片１８ｅ、１８ｃの形成位置を変えることにより、昇降体１６と昇降路２との間の間隔を大きくすることなく第二、第一ガイドローラ２１Ｂ、２１Ａの外径を一層大径にすることも可能である。
尚、右側に位置する前型材１８の上端部における第二、第一ローラユニット２０Ｂ、２０Ａの組み込みは、前記左側の前型材１８への組み込み手順と同様である。さらに、左右に位置する前型材１８の下端部における第二、第一ローラユニット２０Ｂ、２０Ａの組み込み手順も、前方第二、第一支持片１８ｅ、１８ｃに対して第二、第一ローラユニット２０Ｂ、２０Ａを順次下側から挿し込み、下方から螺子止め固定すること以外は前記上部における手順と同様であり、各ローラユニット２０Ｂ、２０Ａの他方脚片２２ａは、それぞれ下片部１６ｂに設けられた補強プレート２３、前型材本体部１８ａの下部に介装された補強プレート１８ｈに固定される構成となっている。
【００１７】
つぎに、図５（Ａ）、図６に示す左側に位置する後型材１９の上端部における組み込み手順を説明する。
まず、後方第二支持片１９ｅの上端に、一方脚片２２ａの長さが長い第二ローラユニット２０Ｂの一方脚片２２ａを対向させ、一方脚片２２ａの両側部を後方第二支持片１９ｅに挿し込み、該後方第二支持片１９ｅに沿って下動させ、他方脚片２２ｂを、後方第二支持片１９ｅの上端部に突き当てる。このとき、他方脚片２２ｂは、昇降体後側片部１６ｅに設けた補強プレート２４に突き当てられており、該補強プレート２４に対して固定用貫通孔２２ｃを介して螺子２２ｄを螺合することで、第二ガイドローラ２１Ｂが左方（左右方向外方）に向けて突出した状態で固定される。続いて、後方第一支持片１９ｃの上端に、一方脚片２２ａの長さが短い第一二ローラユニット２０Ａの一方脚片２２ａを対向させ、一方脚片２２ａの両側部を後方第一支持片１９ｃに挿し込み、該後方第一支持片１９ｃに沿って下動させ、他方脚片２２ｂを、後方第一支持片１９ｅの上端部に突き当てる。このとき、他方脚片２２ｂは、型材本体部１９ａの上部に介装された補強プレート１９ｈに突き当てられており、該補強プレート１９ｈに対して固定用貫通孔２２ｃを介して螺子２２ｄを螺合することで、第一ガイドローラ２１Ａが後方に向けて突出した状態で固定される。そして、第二、第一ローラユニット２０Ｂ、２０Ａは、何れのものも一方脚片２２ａが後方第二、第一支持片１９ｅ、１９ｃにガタつきなく保持状に支持されており、他方脚片２２ｂの螺合作業が容易に行なえる。
【００１８】
そして、後型材１９においても、第二、第一ガイドローラ２１Ｂ、２１Ａ同士は、後方第二、第一支持片１９ｅ、１９ｃと、これに対向する昇降路２の内側面である後ガイド面９ｃ、１２ｃ、１５ｃ、後方左、右ガイド面９ｂ、１２ｂ、１５ｂとの間に形成された入り隅状部を利用して交差状に配設され、これら各ガイド面９ｃ、１２ｃ、１５ｃ、９ｂ、１２ｂ、１５ｂに対して、第二、第一ガイドローラ２１Ｂ、２１Ａの外周面が離接する状態で取り付けられるが、第二、第一ローラユニット２０Ｂ、２０Ａとは、それぞれ一方脚片２２ａの長さが異なり、他方脚片２２ｂからの距離が異なる取り付け位置に第二、第一ガイドローラ２１Ｂ、２１Ａが設けられることにより、上下方向に位置ズレした状態となることで互いに干渉しない状態となるように設定されている。そして、このように第二、第一ガイドローラ２１Ｂ、２１Ａを交差状に配設する構成とすることにより、後方第二、第一支持片１９ｅ、１９ｃとこれに対向する前方昇降路２内側面（後ガイド面９ｃ、１２ｃ、１５ｃ、後方左、右ガイド面９ｂ、１２ｂ、１５ｂ）との間隔を、昇降路２と昇降体１６との間の距離にかかわらず設定することができ、第二、第一ガイドローラ２１Ａ、２１Ｂの外径を大きく設定することが可能となることは、前述の通りである。
尚、右側に位置する後型材１９の上端部における第二、第一ローラユニット２０Ｂ、２０Ａは前記左側の後型材１９への組み込み手順と同様に組み込まれている。さらに、左右に位置する後型材１９の下端部における第二、第一ローラユニット２０Ｂ、２０Ａの組み込み手順も、後方第二、第一支持片１９ｅ、１９ｃに対して第二、第一ローラユニット２０Ｂ、２０Ａを順次下側から挿し込み、下方から螺子止め固定すること以外は前記上部における手順と同様であり、各ローラユニット２０Ｂ、２０Ａの他方脚片２２ａは、それぞれ下片部１６ｂに設けられた補強プレート２４、後型材本体部１９ａの下部に介装された補強プレート１９ｈに固定される構成となっている。
【００１９】
そして、左右の前型材１８のうち、右方の前型材１８は、凹溝片１８ｆを構成する溝底片１８ｉに、丁番２５ａを介して内扉２５が開閉揺動自在に設けられており、内扉２５は、左側縁部を戸先として開閉揺動するように構成されている。
尚、内扉２５には連結受け部２５ｂが設けられる一方、昇降路２の一階、二階部分に設けられた一階、二階外扉６Ｆ、６Ｓにはそれぞれ連結ピン６ｂが設けられている。そして、昇降体１６が一階部位、あるいは、二階部位の予め設定される停止位置で停止したとき、連結ピン６ｂが内扉２５の扉面に沿って左右方向移動自在な状態で連結受け部２５ｂに嵌入するように設定されている。これによって、内扉２５と一階または二階外扉６Ｆ、６Ｓとの連結がなされて、内扉２５あるいは一階または二階外扉６Ｆ、６Ｓを開閉操作することに伴い、両扉２５、６Ｆまたは６Ｓが一体に開閉揺動するように構成されている。
【００２０】
２６は昇降路２を構成する第三部位５の上部に設けられる駆動ボックスであって、該駆動ボックス２６には、図示しないブレーキ装置を備えた開閉機（電動モータ）２６ａと、三本のベルト体２６ｂが前後方向に並列して巻装された巻装装置２６ｃとが左右方向に並んで設けられており、これらベルト体２６ｂの遊端部が昇降体１６の上側片部１６ａに連結することにより、ベルト体２６ｂによる昇降体１６の吊持がなされるように構成されている。そして、開閉機２６ａの正逆回転駆動に伴い巻装装置２６ｃが正逆回転することに伴い、ベルト体２６ｂの巻き取り、巻き出しがなされ、これによって、昇降体１６は上下に昇降動し、前記設定された一階、二階の停止位置の間を連絡するように設定されている。
ここで、前記三本のベルト体２６ｂのうち、前後方向中央に位置するベルト体２６ｂは、予め弛みを設けて昇降体１６に連結されており、通常の使用時では、前後一対のベルト体２６ｂが昇降体１６を吊持して上下昇降せしめ、中央のベルト体２６ｂが上下昇降の動作に関与しないように構成されている。これによって、中央のベルト体２６ｂは、前後のベルト体２６ｂの何れかが切断した場合に昇降体１６を吊持する緊急吊持体として機能するように構成されている。尚、２６ｄは、中央のベルト体２６ｂの弛みを吸収するための弾機である。
【００２１】
このように構成される家庭用エレベータ１は、開閉機２６ａの駆動に伴いベルト体２６ｂの巻き取り、巻き出しに基づいて上下昇降の動作をすることになるが、このとき、昇降体１６は、各コーナー部における上下端部に設けられた各一対、都合１６個の第一、第二ローラユニット２０Ａ、２０Ｂの第一、第二ガイドローラ２１Ａ、２１Ｂの各外周面が昇降路２の内側面に離接する状態で走行することで移動案内を受けて、円滑、かつ、安定した上下昇降の動作ができるように設定されている。つまり、昇降体１６の前型材延出片１８ｅの前方第二支持片１８ｅに支持された第二ガイドローラ２１Ｂの外周面は、対向する昇降路２の前方左、右ガイド面８ｂ、１１ｂ、１４ｂに離接自在に当接し、前側片１８ｂの前方第一支持片１８ｃに支持された第一ガイドローラ２１Ａの外周面は、対向する昇降路２の前ガイド面８ｃ、１１ｃ、１４ｃに離接自在に当接するように配設されている。さらに、昇降体１６の後型材延出片１９ｅの後方第二支持片１９ｅに支持された第二ガイドローラ２１Ｂの外周面は、対向する昇降路２の後方左、右ガイド面９ｃ、１２ｃ、１５ｃに離接自在に当接し、後側片１９ｂの後方第一支持片１９ｃに支持された第一ガイドローラ２１Ａの外周面は、対向する昇降路２の後ガイド面９ｃ、１２ｃ、１５ｃに離接自在に当接するように配設されている。
このように、昇降体１６の前方には上下、左右の四つの第一ガイドローラ２１Ａが突設され、昇降路２の縦枠材８、１１、１４の前ガイド面８ｃ、１１ｃ、１４ｃに近接対向し、後方には上下、左右の四つの第一ガイドローラ２１Ａが突設され、昇降路２の後ガイド面９ｃ、１２ｃ、１５ｃに近接対向している。また、左方には上下、前後の四つの第二ガイドローラ２１Ｂが突設され、前方左ガイド面８ｂ、１１ｂ、１４ｂ、後方左ガイド面９ｂ、１２ｂ、１５ｂに近接対向し、右方には上下、前後の四つの第二ガイドローラ２１Ｂが突設され、前方右ガイド面８ｃ、１１ｃ、１４ｃ、後方右ガイド面９ｃ、１２ｃ、１５ｃに近接対向する状態となっている。これによって、昇降体１６の上下昇降において、前後に突出する各四つの第一ガイドローラ２１Ａにより前後方向の振れ止めがなされ、左右に突出する第二ガイドローラ２１Ｂにより左右方向の振れ止めがなされるように構成されており、従来のように、昇降路２の内側面に第一、第二ガイドローラ２１Ａ、２１Ｂの移動規制をするガイド片がなくても安定した走行状態とすることができるように構成されていてる。
尚、２５ｃは内扉２５の戸先側端面から突出状に設けた案内ローラであって、該案内ローラ２５ｃは、昇降路２を構成する第一、第二、第三部位３、４、５に連通状に形成された前縦枠材８、１１、１４に形成される取り付け片８ｄ、１１ｄ、１４ｄに干渉して移動案内を受けるように構成されている。そして、取り付け片８ｄ、１１ｄ、１４ｄには、昇降体１６が所定の停止位置に停止した状態で案内ローラ２５ｃの前方への変位を許容する切り欠きが形成されており、これによって、内扉２５の前方揺動が可能になるように構成されている。
【００２２】
叙述の如く構成された本形態において、エレベータ１は、図示しない操作具の操作に基づいてベルト体１３ａの巻き取り、巻き出しがなされ、これによって、昇降体１６が昇降路２内を上下昇降の動作をして一階と二階との連絡をするが、このとき、昇降体１６は、各コーナー部の上下に位置して第一、第二ガイドローラ２１Ａ、２１Ｂが設けられており、これら第一、第二ガイドローラ２１Ａ、２１Ｂがそれぞれ昇降路２の内側面にガイドされることにより、安定、かつ、円滑な上下昇降となる。そして、この場合に、昇降体１６を構成する左右側片部１６ｃ、１６ｄを前後の型材１８、１９を用いて構成し、各型材１８、１９の前後方向外端部となる前側片１８ｂ、１９ｂに延出片１８ｆ、１９ｆを形成することで昇降体１６の各コーナー部に入り隅状部を形成し、該入り隅状部を第一、第二ローラユニット２０Ａ、２１Ｂ（ガイドローラ２１Ａ、２１Ｂ）の配設スペースとして交差状に配設する構成としたので、昇降路２と昇降体１６との間隔の大きさに関係なく、入り隅状部の大きさを変えることでガイドローラ２１の外径を大きく設定することができて、昇降装置１のコンパクト化を損なうことなく、昇降体１６を一層安定、かつ、円滑な状態で昇降動させることができる。
【００２３】
そして、この場合に、第一、第二ガイドローラ２１Ａ、２１Ｂは、取り付けプレート２２に軸承された第一、第二ローラユニット２０Ａ、２０Ｂに構成され、取り付けプレート２２の一方脚片２２ａを、昇降体１６の左右側片部１６ｃ、１６ｄを構成する前後の型材１８、１９に形成された前方、後方第一、第二支持片１８ｃ、１８ｅ、１９ｃ、１９ｅの上下端部からそれぞれ嵌挿させることにより、各型材１８、１９に支持された状態とすることができる。
【００２４】
そして、このように支持状態となった第一、第二ローラユニット２０Ａ、２０Ｂは、他方脚片２２ｂを上方あるいは下方から螺合することにより昇降体１６に固定することができ、螺合作業を容易に、かつ、作業性よく行なうことができる。しかも、メンテナンス時にローラユニット２０の交換をしようとした場合では、昇降体１６の上下方向一方から螺合作業をすることができるので、一人作業で容易に、かつ、短時間でローラ交換を行なうことができて、作業性の向上を図ることができる。
しかも、このものでは、第一、第二ガイドローラ２１Ａ、２１Ｂが上下方向に位置ズレした状態で設けられるが、第一、第二ガイドローラ２１Ａ、２１Ｂの一方脚片２２ａに対する取り付け位置を異ならしめることにより位置ズレするように構成したので、第一、第二ローラユニット２０Ａ、２０Ｂを、各型材１８、１９に対して同様の手順で、しかも、容易に着脱することが可能となって、さらなる作業性の向上を図れる。
【００２５】
また、各ガイドローラ２１は、それぞれ昇降路２のガイド面８ｂ、１１ｂ、１４ｂ、８ｃ、１１ｃ、１４ｃ、９ｂ、１２ｂ、１５ｂ、９ｃ、１２ｃ、１５ｃにガイドされる構成としたので、昇降路２にガイド片を形成することなく昇降体１６の前後方向の振れ止めと左右方向の振れ止めをすることができて、昇降体１６を安定、かつ、円滑に上下昇降させるものでありながら、昇降路２の構造を簡略化することができ、従来のもののように、既存の住宅に設置できるよう昇降路を分割した構成としたものにおいても、簡単に設置することができる。
【００２６】
尚、本発明は前記実施の形態に限定されないことは勿論であって、ローラユニットとしては、図１０に示す第二の実施の形態のように構成することもできる。
前記第二の実施の形態のローラユニット２６は、Ｌ字形の取り付けプレート２７の一方の脚片２７ａに緩衝材（クッション材）２７ｂを介してガイドローラ２８を設ける構成となっている。これによって、昇降体の上下昇降を一層円滑で、かつ、安定させることができる。
【図面の簡単な説明】
【００２７】
【図１】図１（Ａ）、（Ｂ）はそれぞれ家庭用エレベータの一部を切り欠いた正面図、一部を切り欠いた側面図である。
【図２】図１（Ａ）、（Ｂ）はそれぞれ昇降体の正面図、側面図である。
【図３】家庭用エレベータの平面図である。
【図４】図４（Ａ）、（Ｂ）、（Ｃ）はそれぞれローラユニットの平面図、正面図、側面図である。
【図５】図４（Ａ）、（Ｂ）、（Ｃ）はそれぞれ家庭用エレベータの要部拡大平面である。
【図６】昇降体の一部を切り欠いた平面断面図である。
【図７】昇降体の一部を切り欠いた正面図である。
【図８】昇降体の一部を切り欠いた側面図である。
【図９】図３におけるＸ−Ｘ断面図である。
【図１０】図１０（Ａ）、（Ｂ）、（Ｃ）はそれぞれ第二の実施の形態におけるローラユニットの平面図、正面図、側面図である。
【符号の説明】
【００２８】
１    エレベータ
２    昇降路
３    第一部位
１６    昇降路
１７    パネル体
１８    前型材
１８ｃ    第一支持片
１８ｅ    第二支持片
１９    後型材
１９ｃ    第一支持片
１９ｅ    第二支持片
２０    ローラユニット
２１    ガイドローラ
２２    取り付けプレート
２２ａ    一方脚片
２２ｂ    他方脚片
２３    補強プレート
【図１】
2009007137.tif 000003
【図２】
2009007137.tif 000004
【図３】
2009007137.tif 000005
【図４】
2009007137.tif 000006
【図５】
2009007137.tif 000007
【図６】
2009007137.tif 000008
【図７】
2009007137.tif 000009
【図８】
2009007137.tif 000010
【図９】
2009007137.tif 000011
【図１０】
2009007137.tif 000012